(57)【要約】【課題】着信やアラーム等のイベントが発生した場合に、その旨をユーザに対して報知すること。【解決手段】音声を出力する音声出力手段１６０と、イベント報知装置１００の制御を行う制御手段１１０とを備え、制御手段１１０は、イベント発生時にバイブレータ１５０の振動音を模した疑似音を音声出力手段１６０へ出力する疑似音出力部を有する。【選択図】図１
2012129602.tif 000002
【特許請求の範囲】
【請求項１】
着信やアラーム等のイベントが発生した場合に、その旨をユーザに対して報知するイベント報知装置であって、
音声を出力する音声出力手段と、
当該イベント報知装置の制御を行う制御手段と
を備え、
前記制御手段は、
イベント発生時にバイブレータの振動音を模した疑似音を前記音声出力手段へ出力する疑似音出力部
を有するイベント報知装置。
【請求項２】
電気仕掛けにより振動を発生させるバイブレータ
を更に備え、
前記制御手段は、
イベント発生時に前記バイブレータを振動させるよう制御するバイブレータ制御部
を更に有する請求項１に記載のイベント報知装置。
【請求項３】
前記制御手段は、
着信やアラーム等のイベントが発生した場合に、その旨を検知するイベント発生検知部
を更に有し、
前記疑似音出力部は、着信やアラーム等のイベントが発生したことを前記イベント発生検知部が検知した場合に、バイブレータの振動音を模した疑似音を前記音声出力手段へ出力する
請求項１又は２に記載のイベント報知装置。
【請求項４】
前記バイブレータ制御部は、着信やアラーム等のイベントが発生したことを前記イベント発生検知部が検知した場合に、前記バイブレータを振動させるよう制御する
請求項３に記載のイベント報知装置。
【請求項５】
前記制御手段は、
当該インベント報知装置の動作モードとして、イベント発生時に前記音声出力手段から音を出力させるか否か、いずれかの動作モードを指定する入力を受け付ける動作モード設定入力受付部
を更に有し、
前記疑似音出力部は、イベント発生時に前記音声出力手段から音を出力させない動作モードを指定する入力を前記動作モード設定入力受付部が受け付けた場合に、イベント発生時にバイブレータの振動音を模した疑似音を前記音声出力手段へ出力する
請求項１から４のいずれか一項に記載のイベント報知装置。
【請求項６】
前記制御手段は、
バイブレータの振動音を模した疑似音を前記音声出力手段へ出力開始させるイベント発生後の開始時間の設定の入力を受け付ける開始時間設定入力受付部と、
イベントが発生してからの時間を計時する計時部と
を更に有し、
前記疑似音出力部は、イベントが発生してから前記計時部が計時した時間が、前記開始時間設定入力受付部が入力を受け付けた設定の開始時間まで経過した場合に、バイブレータの振動音を模した疑似音を前記音声出力手段へ出力する
請求項１から５のいずれか一項に記載のイベント報知装置。
【請求項７】
前記疑似音出力部は、イベントが発生してから前記計時部が計時した時間が、前記開始時間設定入力受付部が入力を受け付けた設定の開始時間までの間に、前記入力手段を介したユーザからの操作入力を前記操作入力受付部が受け付けた場合、イベントが発生してから前記計時部が計時した時間が、前記開始時間設定入力受付部が入力を受け付けた設定の開始時間まで経過しても、バイブレータの振動音を模した疑似音を前記音声出力手段へ出力しない
請求項６に記載のイベント報知装置。
【請求項８】
請求項１から７のいずれか一項に記載のイベント報知装置を備えた携帯電話。
【請求項９】
請求項１から７のいずれか一項に記載のイベント報知装置を備えた据置装置。
【請求項１０】
着信やアラーム等のイベントが発生した場合に、その旨をユーザに対して報知するイベント報知装置の制御方法であって、
イベント発生時にバイブレータの振動音を模した疑似音を音声出力手段へ出力する疑似音出力段階
を備える制御方法。
【発明の詳細な説明】
【技術分野】
【０００１】
本発明は、イベント報知装置、携帯電話、据置装置、及び制御方法に関する。特に、本発明は、着信やアラーム等のイベントが発生した場合に、その旨をユーザに対して報知するイベント報知装置、当該イベント報知装置を備えた携帯電話及び据置装置、並びに当該イベント報知装置の制御方法に関する。
【背景技術】
【０００２】
マナーモードは、携帯電話をマナー良く使うために端末に設定された使用モードのことである。最も一般的なマナーモードは、着信時に音を鳴らさずにバイブレータで振動を発するように動作するモードである。
【０００３】
携帯電話は、映画館等、マナーとして静粛が要求される公共空間で持ち歩くために、消音モードを搭載するのが一般的になってきた。最近では、端末の高度化や携帯電話の普及の進展に伴い、自動車の運転中に留守状態にするドライブモードや、電波の送受信を停止してカメラや内蔵ゲームのみを使えるようにするセルフモード等、様々なマナーモードが登場している。
【０００４】
ユーザは、携帯電話がマナーモードに設定されている場合、バイブレータの振動を頼りにして、着信やアラーム等のイベントが発生したことを知覚する。しかしながら、バイブレータの振動は、携帯電話が鞄に入っていたり、布団等の柔らかい素材の物の上に置かれていたりすると非常に小さくしか伝わらない。そのような場合、ユーザは、バイブレータの振動に気付かずに、着信やアラーム等のイベントが発生したことを知覚することができないことが多々ある。
【０００５】
このような問題を解決することができる技術としては、特定の発信者からの着信時に多様な着信通報を設定できる携帯電話機が知られている（例えば、特許文献１参照。）。特許文献１に記載の携帯電話機においては、ユーザが応答しない状態が継続しても、タイマーの設定時間が経過したときは、バイブレータの駆動停止を振動駆動部へ指示すると共に、スピーカーを駆動するように鳴音駆動部に対して指示する。
【０００６】
また、上記のような問題を解決することができる技術としては、マナーモードに設定されている場合でも、より着信に気付き易くする携帯電話機が知られている（例えば、特許文献２参照。）。特許文献２に記載の携帯電話機においては、無線部で着信信号を受信すると、通信制御部は、所定時間だけ低周波処理部を介して電気音響変換器による振動を起こし、所定時間経過後、替わって音声処理部を介して電気音響変換器による報知音の音量を所定値に向けて徐々に大きくしていくよう動作する。
【０００７】
また、上記のような問題を解決することができる技術としては、振動モードから鳴音モードに切り替えを忘れた場合に、より適切なタイミングで切り替えを行わせることのできる携帯端末装置が知られている（例えば、特許文献３参照。）。特許文献３に記載の携帯端末装置においては、ユーザの応答がない間にタイマー値が応答時間を越えるようになった場合には、振動駆動部の代わりに鳴音駆動部の制御が開始され、スピーカーから着信を知らせる着信音が出力を開始することになる。
【先行技術文献】
【特許文献】
【０００８】
【特許文献１】特開２００４−２２１６５２号公報
【特許文献２】特開２００５−１３０１０６号公報
【特許文献３】特開２００８−０６７０９６号公報
【発明の概要】
【発明が解決しようとする課題】
【０００９】
特許文献１から３に記載の携帯電話は、マナーモードに設定されている際に着信があり、一定時間経過してもユーザが着信に気付かない場合、着信音を出力する。このようにして、ユーザは、マナーモードであっても、着信に気付くことができる。しかしながら、着信音は、周囲の人間に対して不快感を抱かせてしまう場合がある。
【課題を解決するための手段】
【００１０】
上記課題を解決するために、本発明の第１の形態によると、着信やアラーム等のイベントが発生した場合に、その旨をユーザに対して報知するイベント報知装置であって、音声を出力する音声出力手段と、当該イベント報知装置の制御を行う制御手段とを備え、制御手段は、イベント発生時にバイブレータの振動音を模した疑似音を音声出力手段へ出力する疑似音出力部を有する。
【００１１】
なおまた、上記のように発明の概要は、本発明の必要な特徴の全てを列挙したものではなく、これらの特徴群のサブコンビネーションもまた、発明となり得る。
【発明の効果】
【００１２】
以上の説明から明らかなように、この発明においては、イベント発生時にバイブレータの振動音を模した疑似音を音声出力手段へ出力するようにした。このようにして、この発明においては、バイブレータが振動していると周囲の人間に思わせることによって、周囲の人間に対してあまり不快感を抱かせることなく、ユーザに対してイベントの発生を気付かせることができる。
【図面の簡単な説明】
【００１３】
【図１】一実施形態に係る携帯電話１００の一例を示す図である。
【図２】ＣＰＵ１１０のブロック構成の一例を示す図である。
【図３】ＣＰＵ１１０の動作フローの一例を示す図である。
【図４】ＣＰＵ１１０の動作フローの一例を示す図である。
【発明を実施するための形態】
【００１４】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１５】
図１は、一実施形態に係る携帯電話１００の一例を示す。携帯電話１００は、着信やアラーム等のイベントが発生した場合に、その旨をユーザに対して報知する。なお、携帯電話１００は、この発明における「イベント報知装置」を備える一例であってよい。
【００１６】
携帯電話１００は、ＣＰＵ（Ｃｅｎｔｒａｌ  Ｐｒｏｃｅｓｓｉｎｇ  Ｕｎｉｔ）１１０、無線回路１２０、入力装置１３０、ＲＯＭ（Ｒｅａｄ  Ｏｎｌｙ  Ｍｅｍｏｒｙ）１４０、バイブレータ１５０、スピーカー１６０、Ｄ／Ａ（Ｄｉｇｉｔａｌ／Ａｎａｌｏｇ）変換回路１６１、スピーカーアンプ１６２、マイクロフォン１７０、マイクロフォンアンプ１７１、及びＡ／Ｄ（Ａｎａｌｏｇ／Ｄｉｇｉｔａｌ）変換回路１７２を備える。なお、ＣＰＵ１１０は、この発明における「制御手段」の一例であってよい。また、入力装置１３０は、この発明における「入力手段」の一例であってよい。また、スピーカー１６０は、この発明における「音声出力手段」の一例であってよい。
【００１７】
ＣＰＵ１１０は、携帯電話１００を構成する部品の一つで、各装置の制御やデータの計算、加工を行う装置である。ＣＰＵ１１０は、ＲＯＭ１４０に記憶されたプログラムを実行する装置で、無線回路１２０、入力装置１３０、ＲＯＭ１４０、Ａ／Ｄ変換回路１７２等からデータを受け取り、演算、加工した上で、ＲＯＭ１４０、バイブレータ１５０、Ｄ／Ａ変換回路１６１等に出力する。ＣＰＵ１１０は、１回の命令で同時に処理できるデータの量によって８ビット、１６ビット、３２ビット等の種類があり、値が大きいほど性能が高い。
【００１８】
無線回路１２０は、携帯電話１００を構成する部品の一つで、基地局と無線信号の送受信を行う装置である。
【００１９】
入力装置１３０は、ＣＰＵ１１０にデータや情報、指示等を与えるための装置である。一般的には、人間が操作して入力を行う装置のことを指す。典型的には、人間の手指の動きや打鍵を特定の信号に変換してＣＰＵ１１０に伝える、ボタンやタッチパネル等が該当する。
【００２０】
ＲＯＭ１４０は、読み出し専用記憶装置である。ＲＯＭ１４０は、一度書き込まれた情報を読み出すための記憶装置で、書き換える必要のない情報や、書き換えられては困る情報を記憶させる。
【００２１】
バイブレータ１５０は、振動するものである。バイブレータ１５０は、モーターの軸に重心を偏らせた重りを取り付け、回転させることで振動を生む方式が一般的である。
【００２２】
スピーカー１６０は、音声出力装置である。スピーカー１６０は、携帯電話１００の左右に１個ずつ設けられるのが基本パターンである。Ｄ／Ａ変換回路１６１は、デジタル電気信号をアナログ電気信号に変換する電子回路である。スピーカーアンプ１６２は、音声を増幅する音響回路である。スピーカーアンプ１６２は、Ｄ／Ａコンバータ１６１から出力された信号の電圧、電流又は電力を大きくしてスピーカー１６０へ出力する。
【００２３】
マイクロフォン１７０は、音を電気信号に変換する。Ａ／Ｄ変換回路１７２は、アナログ電気信号をデジタル電気信号に変換する電子回路である。マイクロフォンアンプ１７１は、音声を増幅する音響回路である。マイクロフォンアンプ１７１は、マイクロフォン１７０から出力された信号の電圧、電流又は電力を大きくしてＡ／Ｄコンバータ１７２へ出力する。
【００２４】
基地局より携帯電話１００の呼び出しが行われると、無線回路１２０にて基地局からの信号を受信し、ＣＰＵ１１０で着信信号を検出する。ＣＰＵ１１０で携帯電話１００に着信があった事を検出すると、携帯電話１００のユーザに着信があったことを通知するために、予めユーザが入力装置１３０より設定した設定内容を参照して、予めユーザが選択した着信音を予め設定されているボリュームでスピーカー１６０より鳴動したり、ユーザがマナーモード等に設定時には、設定された報知手段であるバイブレータ１５０を振動させて、着信があったことをユーザに通知する。
【００２５】
図２は、ＣＰＵ１１０のブロック構成の一例を示す。ＣＰＵ１１０は、開始時間設定入力受付部１１１、音量設定入力受付部１１２、動作モード設定入力受付部１１３、イベント発生検知部１１４、計時部１１５、操作入力受付部１１６、バイブレータ制御部１１７、及び疑似音出力部１１８を有する。以下に、各構成要素の機能及び動作を説明する。
【００２６】
開始時間設定入力受付部１１１は、バイブレータ１５０の振動音を模した疑似音をスピーカー１６０へ出力開始させるイベント発生後の開始時間の設定の入力を受け付ける。開始時間は、数秒で設定し、０（ゼロ。イベントと同時に疑似音鳴動）〜無限大（実質的に疑似音鳴動しないオフ同等）が設定できる。
【００２７】
音量設定入力受付部１１２は、バイブレータ１５０の振動音を模した疑似音の音量の設定の入力を受け付ける。音量は、所定の音量であったり、時間経過と共に段階的に大きくなる音量であってもよい。
【００２８】
動作モード設定入力受付部１１３は、携帯電話１００の動作モードとして、イベント発生時にスピーカー１６０から音を出力させるか否か、いずれかの動作モードを指定する入力を受け付ける。
【００２９】
イベント発生検知部１１４は、着信やアラーム等のイベントが発生した場合に、その旨を検知する。
【００３０】
計時部１１５は、イベントが発生してからの時間を計時する。
【００３１】
操作入力受付部１１６は、入力装置１３０を介したユーザからの操作入力を受け付ける。
【００３２】
バイブレータ制御部１１７は、イベント発生時にバイブレータ１５０を振動させるよう制御する。具体的に説明すると、バイブレータ制御部１１７は、着信やアラーム等のイベントが発生したことをイベント発生検知部１１４が検知した場合に、バイブレータ１５０を振動させるよう制御する。より具体的に説明すると、バイブレータ制御部１１７は、イベント発生後に、入力装置１３０を介したユーザからの操作入力を操作入力受付部１１６が受け付けた場合、バイブレータ１５０の振動を停止させる。
【００３３】
疑似音出力部１１８は、イベント発生時にバイブレータ１５０の振動音を模した疑似音をスピーカー１６０へ出力する。具体的に説明すると、疑似音出力部１１８は、着信やアラーム等のイベントが発生したことをイベント発生検知部１１４が検知した場合に、バイブレータ１５０の振動音を模した疑似音をスピーカー１６０へ出力する。より具体的に説明すると、疑似音出力部１１８は、イベント発生時にスピーカー１６０から音を出力させない動作モードを指定する入力を動作モード設定入力受付部１１３が受け付けた場合に、イベント発生時にバイブレータ１５０の振動音を模した疑似音をスピーカー１６０へ出力する。より具体的に説明すると、疑似音出力部１１８は、イベント発生後に、入力装置１３０を介したユーザからの操作入力を操作入力受付部１１６が受け付けた場合、バイブレータ１５０の振動音を模した疑似音の出力を停止する。より具体的に説明すると、疑似音出力部１１８は、イベントが発生してから計時部１１５が計時した時間が、開始時間設定入力受付部１１１が入力を受け付けた設定の開始時間まで経過した場合に、バイブレータ１５０の振動音を模した疑似音をスピーカー１６０へ出力する。より具体的に説明すると、疑似音出力部１１８は、イベントが発生してから計時部１１５が計時した時間が、開始時間設定入力受付部１１１が入力を受け付けた設定の開始時間までの間に、入力装置１３０を介したユーザからの操作入力を操作入力受付部１１６が受け付けた場合、イベントが発生してから計時部１１５が計時した時間が、開始時間設定入力受付部１１１が入力を受け付けた設定の開始時間まで経過しても、バイブレータ１５０の振動音を模した疑似音をスピーカー１６０へ出力しない。より具体的に説明すると、疑似音出力部１１８は、音量設定入力受付部１１２が入力を受け付けた設定の音量となるように、イベント発生時にバイブレータ１５０の振動音を模した疑似音をスピーカー１６０へ出力する。
【００３４】
図３は、ＣＰＵ１１０の動作フローの一例を示す。次に図３を使用してマナーモード設定処理において、マナーモード中にバイブレータの振動に加えてスピーカーより着信音を鳴動するための設定手順について説明する。
【００３５】
ＣＰＵ１１０の動作モード設定入力受付部１１３は、ユーザが入力装置１３０にて携帯電話１００のマナーモード設定処理を選択した場合（Ｓ１０１）、マナーモード中に着信音の鳴動を行う着信音鳴動モードの選択処理の入力を受け付ける（Ｓ１０２）。
【００３６】
マナーモード中の着信音鳴動モードを選択した場合、ＣＰＵ１１０の開始時間設定入力受付部１１１は、着信時にバイブレータ振動中にユーザがバイブレータの振動に気づかずに着信処理を行わなかった時に、バイブレータの振動に加えて着信音の鳴動を開始するまでの時間の設定の入力を受け付ける(Ｓ１０３)。
【００３７】
そして、ＣＰＵ１１０の音量設定入力受付部１１２は、マナーモード中に鳴動する着信音のボリュームの設定の入力を受け付ける(Ｓ１０４)。マナーモード中に鳴動する着信音については、予め携帯電話１００にバイブ振動周期に同期したバイブ擬似振動音を用意しておく。携帯電話１００にてバイブレータの振動モードを複数のなかから選択できる場合は、それぞれの振動モードの周期に対応したバイブ擬似振動音を用意しておき、ユーザが設定したバイブ振動モードの周期に対応したバイブ擬似振動音を自動で選択するものとする。
【００３８】
図４は、ＣＰＵ１１０の動作フローの一例を示す。次に図４を使用して、本発明の動作としてマナーモード中の着信音鳴動モードを設定した状態で、携帯電話１００に着信があったときの動作について説明する。
【００３９】
基地局より携帯電話１００の呼び出しが行われると、ＣＰＵ１１０のイベント発生検知部１１４は、着信信号を検出する(Ｓ２０１)。
【００４０】
そして、ＣＰＵ１１０のバイブレータ制御部１１７は、ユーザに着信があったことを通知するためにバイブレータ１５０を振動させる（Ｓ２０２）。そして、ＣＰＵ１１０の計時部１１５は、タイマーのカウントを開始する（Ｓ２０３)。
【００４１】
そして、タイマー時間が着信音鳴動開始時間経過前にユーザがバイブレータの振動に気がついて着信処理を行うと、ＣＰＵ１１０の操作入力受付部１１６は、その旨の入力を受け付ける（Ｓ２０４）。そして、バイブレータ制御部１１７は、バイブレータ１５０の振動を停止する(Ｓ２０９)。このようにして、携帯電話１００は、通話処理に移行する(Ｓ２１０)。
【００４２】
そして、携帯電話１００のユーザがバイブレータの振動に気づかずに着信処理を行わずタイマー時間が着信音鳴動開始時間を経過すると（Ｓ２０５）、ＣＰＵ１１０の疑似音出力部１１８は、ＲＯＭ１４０に保存されているバイブ振動モードの周期に対応したバイブ擬似振動音を選択し、バイブ振動の周期に同期させて出力する（Ｓ２０６）。バイブ振動擬似音は、Ｄ／Ａ変換回路１６１でデジタルデータからアナログデータに変換されて、ユーザが設定したボリュームになるようにスピーカーアンプ１６２でゲインが調整されて、スピーカー１６０より鳴動する。
【００４３】
そして、携帯電話１００のユーザがスピーカーから鳴動された着信音で着信があったことに気づき着信処理を行うと、操作入力受付部１１６は、その旨の入力を受け付ける（Ｓ２０７）。そして、疑似音出力部１１８は、バイブ擬似振動音の鳴動を停止させる（Ｓ２０８）。そして、バイブレータ制御部１１７は、バイブレータの振動を停止させる（Ｓ２０９）。このようにして、携帯電話１００は、通話処理に移行する（Ｓ２１０）。
【００４４】
また、本発明の実施例では、携帯電話でマナーモード中に着信があったときの例について示したが、着信以外に、マナーモード状態でアラーム通知処理や目覚まし処理等を行う時にも同様の動作を行う事により、バイブレータの振動に加えてスピーカーからバイブ擬似振動音を鳴動することにより携帯電話１００のユーザに通知を行うことができる。また、携帯電話だけでなく携帯端末でのイベント報知の際に、バイブレータの振動に加えてスピーカーから疑似振動音を鳴動することで、ユーザに振動が伝わり難い場合でも、効果的に報知することができる。
【００４５】
また、本発明の実施例では、バイブレータの振動に加えてスピーカーからバイブ疑似振動音を鳴動することとしたが、バイブレータの振動が設定によりできない場合の報知、例えば、携帯電話でマナー状態で、且つバイブレータの振動をしない設定になっていた場合でも、イベントを検知してから所定の開始時間後にバイブ疑似振動音を再生することで適用できるし、そもそもバイブレータを備えない携帯端末や、据置装置へも報知音を鳴動させることができない映画館等の機器でバイブ疑似振動音を再生することで適用できる。
【００４６】
以上説明したように、携帯電話１００においては、イベント発生時にバイブレータ１５０の振動音を模した疑似音をスピーカー１６０へ出力するようにした。このようにして、携帯電話１００においては、バイブレータ１５０が振動していると周囲の人間に思わせることによって、周囲の人間に対してあまり不快感を抱かせることなく、ユーザに対してイベントの発生を気付かせることができる。
【００４７】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４８】
１００  携帯電話
１１０  ＣＰＵ
１１１  開始時間設定入力受付部
１１２  音量設定入力受付部
１１３  動作モード設定入力受付部
１１４  イベント発生検知部
１１５  計時部
１１６  操作入力受付部
１１７  バイブレータ制御部
１１８  疑似音出力部
１２０  無線回路
１３０  入力装置
１４０  ＲＯＭ
１５０  バイブレータ
１６０  スピーカー
１６１  Ｄ／Ａ変換回路
１６２  スピーカーアンプ
１７０  マイクロフォン
１７１  マイクロフォンアンプ
１７２  Ａ／Ｄ変換回路
【図１】
2012129602.tif 000003
【図２】
2012129602.tif 000004
【図３】
2012129602.tif 000005
【図４】
2012129602.tif 000006